(57)【要約】      （修正有）【課題】スリーブに充填した化粧品を冷却後でも均一な密度にできる口紅等の棒状化粧品の充填カプセルを提供する。【解決手段】口紅等の棒状化粧品を収納するスリーブ２の上部を覆う、該スリーブ２の外周壁と隙間を介して取付けられる天板４を有する筒状のカプセル本体５と、このカプセル本体５の天板４に形成されたスリーブ２の位置決めをする位置決め手段６と、前記カプセル本体５の周壁に形成した複数個の空気流通用の窓７と、前記カプセル本体５の下部内壁面に空気流通空間８を介して内側へ突出して、前記スリーブ２に嵌合固定される複数個の嵌合片９とで口紅等の棒状化粧品の充填カプセル１を構成している。【選択図】図６
2010017268.tif 000002
【特許請求の範囲】
【請求項１】
口紅等の棒状化粧品を収納するスリーブの上部を覆う、該スリーブの外周壁と隙間を介して取付けられる天板を有する筒状のカプセル本体と、このカプセル本体の天板に形成されたスリーブの位置決めをする位置決め手段と、前記カプセル本体の周壁に形成した複数個の空気流通用の窓と、前記カプセル本体の下部内壁面に空気流通空間を介して内側へ突出して、前記スリーブに嵌合固定される複数個の嵌合片とからなることを特徴とする口紅等の棒状化粧品の充填カプセル。
【請求項２】
複数個の空気流通用の窓はカプセル本体の周壁の肉厚分だけ天板に形成され凹部を含むように形成されるとともに、複数個の嵌合片は複数個の空気流通用の窓の下部位置のカプセル本体の周壁に形成されていることを特徴とする請求項１記載の口紅等の棒状化粧品の充填カプセル。
【発明の詳細な説明】
【技術分野】
【０００１】
本発明は口紅、リップクリーム、スチックアイシャドウ、スチックファンデーション等の棒状化粧品をスリーブへ充填する場合に使用される口紅等の棒状化粧品の充填カプセルに関する。
【背景技術】
【０００２】
従来の口紅等の棒状化粧品の充填時には、スリーブの先端部をキャップ状の充填カプセルで覆って、スリーブの後端部より液状あるいはゲル状の化粧品を充填している。
【０００３】
このため、充填カプセルで覆われていたスリーブ位置は冷却しずらく、化粧品の冷却後の密度が充填カプセルが、位置していた部位と、他の部位とでは不均一となり、均一な棒状化粧品にできないという欠点があった。
【特許文献１】特になし
【発明の開示】
【発明が解決しようとする課題】
【０００４】
本発明は以上のような従来の欠点に鑑み、スリーブに充填した化粧品を冷却後でも均一な密度にできる口紅等の棒状化粧品の充填カプセルを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は口紅等の棒状化粧品を収納するスリーブの上部を覆う、該スリーブの外周壁と隙間を介して取付けられる天板を有する筒状のカプセル本体と、このカプセル本体の天板に形成されたスリーブの位置決めをする位置決め手段と、前記カプセル本体の周壁に形成した複数個の空気流通用の窓と、前記カプセル本体の下部内壁面に空気流通空間を介して内側へ突出して、前記スリーブに嵌合固定される複数個の嵌合片とで口紅等の棒状化粧品の充填カプセルを構成している。
【発明の効果】
【０００７】
以上の説明から明らかなように、本発明にあっては次に列挙する効果が得られる。
【０００８】
（１）口紅等の棒状化粧品を収納するスリーブの上部を覆う、該スリーブの外周壁と隙間を介して取付けられる天板を有する筒状のカプセル本体と、このカプセル本体の天板に形成されたスリーブの位置決めをする位置決め手段と、前記カプセル本体の周壁に形成した複数個の空気流通用の窓と、前記カプセル本体の下部内壁面に空気流通空間を介して内側へ突出して、前記スリーブに嵌合固定される複数個の嵌合片とで構成されているので、スリーブの上面はカプセル本体の天板に形成された位置決め手段で位置決めされた状態で覆われるため、スリーブへ冷却すると棒状化粧品となる液状あるいはゲル状の化粧品を従来と同様に収納することができる。
【０００９】
（２）前記（１）によって、スリーブのカプセル本体で覆われる上部の外周部は複数個の嵌合片が嵌合状態で当接するだけで、複数個の空気流通用の窓より入り込んだ空気をカプセル本体とスリーブとの間の隙間を介して複数個の嵌合片間の空気流通空間を介して通過させて外部へ流すことができ、ほとんどカプセル本体で覆われていない部位と同様に冷却させることができる。
したがって、スリーブ内に充填された化粧品を均一に冷却して、均一な密度にすることができる。
【００１０】
（３）請求項２も前記（１）、（２）と同様な効果が得られるとともに、複数個の空気流通用の窓の下部位置のカプセル本体の周壁に複数個の嵌合片を形成することにより、より効率よく空気の流れを形成することができる。
【発明を実施するための最良の形態】
【００１１】
以下、図面に示す本発明を実施するための最良の形態により、本発明を詳細に説明する。
【００１２】
図１ないし図６に示す本発明を実施するための最良の第１の形態において、１は本発明の口紅等の棒状化粧品の充填カプセルで、この口紅等の棒状化粧品の充填カプセル１は口紅等の棒状化粧品を収納するスリーブ２の外周壁２ａと隙間３、例えば１ｍｍの隙間３を介して取付けられる天板４を有するカプセル本体５と、このカプセル本体５の天板４に形成された前記スリーブ２の位置決めをする複数個、本発明の実施の形態では円弧形状で、高さが２ｍｍ程度のスリーブ２の外周部に位置する位置決め手段としての位置決め片６、６、６と、前記カプセル本体５の周壁で前記位置決め片６、６、６のない部位に形成した複数個、本発明の実施の形態では３個の空気流通用の窓７、７、７と、前記カプセル本体５の下部内壁面で空気流通空間８、８、８を介して内側へ突出して前記スリーブ２に嵌合固定される、前記空気流通用の窓７、７、７の下部位置に設けられた３個の嵌合片９、９、９とで構成されている。
【００１３】
前記３個の空気流通用の窓７、７、７は前記カプセル本体５の周壁５ａの肉厚分だけ天板４に形成された凹部１０、１０、１０を含むように形成されている。
【００１４】
上記構成の口紅等の棒状化粧品の充填カプセル１は、口紅等の棒状化粧品収納容器のスリーブ２の上部に、スリーブ２の上端部がカプセル本体５の位置決め片６、６、６で位置決めされた状態で天板４で覆い、密封状態にする、
しかる後、スリーブ２を反転し、上部に位置するスリーブ２の後端部より冷却すると棒状化粧品となる液状あるいはゲル状の化粧品を充填する。
この化粧品のスリーブ２への充填により、充填カプセル１が装着されたスリーブ２部位には、図６に示すように３個の空気流通用の窓７、７、７よりカプセル本体５とスリーブ２との隙間３および、嵌合片９、９、９間の空気流通空間８、８、８を介して上部外方へ流れ、充填カプセル１の設置されていないスリーブ２部位とほぼ同様に冷却することができる。
[発明を実施するための異なる形態]
【００１５】
次に、図７ないし図１６に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１６】
図７ないし図１０に示す本発明を実施するための第２の形態において、前記本発明を実施するための最良の第１の形態と主に異なる点は、スリーブ２の内壁面と当接して位置決めをする、位置決め手段としてのリング状の位置決め片６Ａを用いた点で、このようなリング状の位置決め片６Ａを用いた口紅等の棒状化粧品の充填カプセル１Ａにしても、前記本発明を実施するための最良の第１の形態と同様な作用効果が得られるとともに、口紅等の棒状化粧品の先端部の外周部を面取りした状態に形成することができる。
【００１７】
図１１ないし図１３に示す本発明を実施するための第３の形態において、前記本発明を実施するための最良の第１の形態と主に異なる点は、上端部が傾斜面１１に形成されたスリーブ２Ａに使用できるように、カプセル本体５Ａの天板４Ａを前記スリーブ２Ａの上端部の傾斜面１１と同じ傾斜面１１となるように形成した点で、このようにカプセル本体５Ａの天板４Ａをスリーブ２Ａの上端部の傾斜面１１と同一傾斜面１１にした口紅等の棒状化粧品の充填カプセル１Ｂにしても
前記本発明を実施するための最良の第１の形態と同様な作用効果が得られる。
【００１８】
図１４ないし図１６に示す本発明を実施するための第４の形態において、前記本発明を実施するための第３の形態と主に異なる点は、スリーブ２Ａの先端部が嵌合される凹部１２を位置決め手段として天板４Ｂに形成したカプセル本体５Ｂを用いた点で、このようなカプセル本体５Ｂを用いて構成した口紅等の棒状化粧品の充填カプセル１Ｃにしても、前記本発明を実施するための第３の形態と同様な作用効果が得られる。
【００１９】
なお、前記本発明を実施するための各形態では、複数個の嵌合片９、９、９を空気流通用の窓７、７、７の下部位置のカプセル本体５、５Ａ、５Ｂの内壁面に形成したものについて説明したが、本発明はこれに限らず、スリーブ２、２Ａを嵌合固定できるカプセル本体５、５Ａ、５Ｂの内壁面であればどこでもよい。
また、３個の空気流通用の窓７、７、７および嵌合片９、９、９を用いるものについて説明したが、本発明はこれに限らず、４個、５個の空気流通用の窓や嵌合片を形成してもよい。
【産業上の利用可能性】
【００２０】
本発明は口紅等の棒状化粧品の充填カプセルを製造する産業で利用される。
【図面の簡単な説明】
【００２１】
【図１】本発明を実施するための最良の第１の形態の正面図。
【図２】本発明を実施するための最良の第１の形態の平面図。
【図３】本発明を実施するための最良の第１の形態の底面図。
【図４】図２の４−４線に沿う断面図。
【図５】本発明を実施するための最良の第１の形態の取付け状態の説明図。
【図６】本発明を実施するための最良の第１の形態の冷却時の説明図。
【図７】本発明を実施するための第２の形態の正面図。
【図８】本発明を実施するための第２の形態の平面図。
【図９】図８の９−９線に沿う断面図。
【図１０】本発明を実施するための第２の形態の取付け状態の断面図。
【図１１】本発明を実施するための第３の形態の正面図。
【図１２】本発明を実施するための第３の形態の平面図。
【図１３】本発明を実施するための第３の形態の取付け状態の断面図。
【図１４】本発明を実施するための第４の形態の正面図。
【図１５】本発明を実施するための第４の形態の平面図。
【図１６】本発明を実施するための第４の形態の取付け状態の断面図。
【符号の説明】
【００２２】
１、１Ａ、１Ｂ、１Ｃ：口紅等の棒状化粧品の充填カプセル、
２、２Ａ：スリーブ、          ３：隙間、
４、４Ａ、４Ｂ：天板、                                      
５、５Ａ、５Ｂ：カプセル本体、            
６、６Ａ：位置決め片、        ７：空気流通用の窓、
８：空気流通空間、            ９：嵌合片、
１０：凹部、                  １１：傾斜面、
１２：凹部。
【図１】
2010017268.tif 000003
【図２】
2010017268.tif 000004
【図３】
2010017268.tif 000005
【図４】
2010017268.tif 000006
【図５】
2010017268.tif 000007
【図６】
2010017268.tif 000008
【図７】
2010017268.tif 000009
【図８】
2010017268.tif 000010
【図９】
2010017268.tif 000011
【図１０】
2010017268.tif 000012
【図１１】
2010017268.tif 000013
【図１２】
2010017268.tif 000014
【図１３】
2010017268.tif 000015
【図１４】
2010017268.tif 000016
【図１５】
2010017268.tif 000017
【図１６】
2010017268.tif 000018